(57)【要約】  【課題】  パーソナルコンピュータやデジタルカメラ等の他の機器を使用することなく、ディスク表面ラベル印刷用の画像データを生成する。  【解決手段】  画像情報を記録媒体に記録し再生するHDDレコーダー１において、テレビ２に表示した画像情報上にディスク形状のカーソルＣを表示させ、表示された画像情報上のディスク形状カーソルの位置を選択し、選択されたディスク形状のカーソルＣの内側に存在する画像情報に基づいてディスク表面印刷用データを作成する。【選択図】    図１
2006018858.tif 000002
【特許請求の範囲】
【請求項１】
画像情報を記録媒体に記録し再生する画像記録再生装置において、
記録媒体に記録されている画像情報を表示させる手段と、
表示手段にて表示された画像情報の一部からディスク表面印刷用データを作成する手段とを有することを特徴とする画像記録再生装置。
【請求項２】
請求項１に記載の画像記録再生装置において、
表示手段にて表示された画像情報上にディスク表面の形状を図形表示させる第１の手段と、
表示された画像情報上のディスク表面形状図形の位置を選択する手段と、
この選択手段にて選択されたディスク表面形状図形の内側に存在する画像情報に基づいてディスク表面印刷用データを作成する手段とを有することを特徴とする画像記録再生装置。
【請求項３】
請求項２に記載の画像記録再生装置において、
表示手段にて表示された画像情報上に文字記入領域の図形を表示させる第２の手段と、
この第２の手段にて表示された文字記入領域の図形内に文字情報を追加させる手段とを有し、作成手段は文字記入領域に追加された文字情報とディスク表面形状図形の内側に存在する画像情報に基づいてディスク表面印刷用データを作成することを特徴とする画像記録再生装置。
【請求項４】
請求項１乃至請求項３に記載の画像記録再生装置において、作成手段にて作成したディスク表面印刷用データを記録メディアもしくは外部インターフェースへ出力する出力手段とを有することを特徴とする画像記録再生装置。  
【発明の詳細な説明】
【技術分野】
【０００１】
本発明は光ディスクやＨＤＤ等の記録媒体に対して、画像情報を記録再生する装置に関するものである。
【背景技術】
【０００２】
近年、ＤＶＤ（Digital versatile Disk）に関する研究開発及び製品化が急速に進められている。これに伴い、ＤＶＤに対して映画等の情報を記録したり、ＤＶＤに録された映画等の情報を再生したりするＤＶＤ対応の記録再生装置の研究開発及び製品化も進められている。ＤＶＤ対応の記録再生装置は、ＤＶＤの特性を生かした様々な再生処理及び記録処理を行なうことができるようになっている。また、ＤＶＤ対応の記録再生装置は、操作性の向上を図るため、ＧＵＩ（グラフィックユーザインターフェース）機能を搭載しており、画面に表示されるグラフィックを介して各種操作を指示入力することができるようになっている。
【０００３】
又、ＤＶＤ対応の記録再生装置にて映像情報をディスクに記録した場合、当該ディスク表面にユーザー独自のラベルを作成し、作成したラベルをディスク表面に貼り付けることが要求されている。近年のプリンタではラベルへ印刷するだけでなく、ディスク表面に直接印刷することも可能なものもある。
【０００４】
このようなラベル若しくはディスク表面（記録面と反対側を指す）へ印刷する画像としては、デジタルカメラをプリンタにUSB接続して画像を送信したり、プリンタに接続されたパーソナルコンピュータから画像を送信する等の方法がある。
【０００５】
例えば、特開２０００−１４３５２０号公報には、デジタルカメラからプリンタに画像を送信する際に、プリンタの種別を判定し、プリンタの種別に応じて、送信する画像データのコードを変更することにより、デジタルカメラからプリンタに直接画像を送信できるようにしたシステムが開示されている。
【０００６】
この特開２００３−１４３５２０号公報に示されるシステムでは、パーソナルコンピュータを使用することなくデジタルカメラからプリンタに直接印刷が可能となっているものの、ＤＶＤ対応の記録再生装置を所有していたとしても、プリンタに接続可能なデジタルカメラを所有していなければディスク表面ラベル若しくはディスク表面への画像の印刷が行えないという問題がある。
【０００７】
又、特開２００３−１４３５２０号公報に示されるシステムでは、ディスク表面ラベル若しくはディスク表面への印刷画像として使用するデータはデジタルカメラで撮影したものに限定される。
【特許文献１】特開２００３−１４３５２０号公報（段落番号００２８、図５）
【発明の開示】
【発明が解決しようとする課題】
【０００８】
本発明は上述したような状況に基づきなされたものであり、パーソナルコンピュータやデジタルカメラ等の他の機器を使用することなく、ディスク表面ラベル若しくはディスク表面へ印刷するための画像データを生成することが可能な画像記録再生装置を提供しようとするものである。
【課題を解決するための手段】
【０００９】
本発明は上記課題を解決するために、画像情報を記録媒体に記録し再生する画像記録再生装置において、記録媒体に記録されている画像情報を表示させる手段と、表示手段にて表示された画像情報の一部からディスク表面印刷用データを作成する手段とを有することを特徴とするものである。
【発明の効果】
【００１０】
本発明によれば、記録媒体に記録されている任意の画像情報に基づいてディスク表面印刷用データを作成するため、パーソナルコンピュータやデジタルカメラ等の他の機器を使用することなく、ディスク表面ラベル若しくはディスク表面へ印刷するための画像データを生成することが可能となる。
【発明を実施するための最良の形態】
【００１１】
以下に、本発明の実施の形態について図面を参照して説明する。
【００１２】
図１は、この発明の記録再生装置の利用環境を説明するための図である。本発明の画像記録再生装置はＨＤＤレコーダー１であり、テレビ放送を受信してＨＤＤやＤＶＤに録画する機能を有するとともに、画像ＨＤＤレコーダー１はテレビ２に接続されてＨＤＤやＤＶＤから再生した映像情報並びにオーディオ情報をテレビ２に出力する。テレビ２にはＳＤカード３を装着するカードスロット４が形成されており、ＳＤカード３に映像情報を記録することができる。又、ＳＤカード３はプリンタ装置５のカードスロット６にも装着可能であり、ＳＤカード３に記録された映像情報を印刷することができる。尚、図示しないがＨＤＤレコーダー１にもＳＤカード３を装着するカードスロット４が形成されておりＨＤＤレコーダー１においてもＳＤカード３に映像情報を記録することができる。
【００１３】
図２は、この発明のＨＤＤレコーダー１の一例を示すブロック図である。図１の各ブロックを大きく分けると、左側には記録部の主なブロックを示し、右側には再生部の主なブロックを示している。
【００１４】
ＨＤＤレコーダー１における再生処理は、ＰＧＣＩに従って行われ、このＰＧＣでは、複数のプログラムを指定することができ、このプログラムにはセルが定義されている。そしてセルにより再生すべき対象となるＶＯＢが指定されることになる。また、記録順に再生するための特別なＰＧＣをオリジナルＰＧＣと称し、このオリジナルＰＧＣの情報はＯＲＧ_ＰＧＣＩとして記録されている。さらに、このときのビデオデータの属性情報（解像度情報、アスペクト情報、音声属性情報など）は、ＶＭＧＩ内のＳＴＩに記録される。また、上記したパックは、データ転送処理を行なう最小単位である。さらに、論理上の処理を行なう最小単位はセル単位で、論理上の処理はこの単位で行わる。したがって、録画が行われるときは、上記のフォーマットに合致する形式に記録信号が変換さえる。
【００１５】
ＨＤＤレコーダー１は、ハードディスクドライブ（ＨＤＤ）２００１、ディスクドライブ３５、エンコーダ部５０、デコーダ部６０、及びマイクロコンピュータブロック３０を主たる構成要素としている。  
ＨＤＤ２００１は、記録媒体としてのハードディスクを回転駆動するとともに、このハードディスクに対して情報を記録したり、このハードディスクに記録された情報を読み出したりする。ディスクドライブ３５は、記録媒体としての光ディスク１００１を回転駆動するとともに、この光ディスク１００１に対して情報を記録したり、この光ディスク１００１に記録された情報を読み出したりする。エンコーダ部５０は、ハードディスク及び光ディスク１００１に対して記録される情報をエンコードする。デコーダ部６０は、ハードディスク及び光ディスク１００１から読み出された情報をデコードする。マイクロコンピュータブロック３０は、記録再生装置全体の制御を司る。
【００１６】
エンコーダ部５０は、ＡＤＣ（アナログデジタルコンバータ）５２と、Ｖ(ビデオ)エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００１７】
ＡＤＣ５２には、ＡＶ入力部４２からの外部アナログビデオ信号＋外部アナログオーディオ信号、あるいはＴＶ（テレビジョン）チューナ４４からのアナログビデオ信号＋アナログ音声信号が入力される。
【００１８】
ＡＤＣ５２は、入力されたアナログビデオ信号を、例えばサンプリング周波数１３．５ＭＨｚ、量子化ビット数８ビットでディジタル化する。すなわち、輝度成分Ｙ、色差成分Ｃｒ（またはＹ−Ｒ）、及び色差成分Ｃｂ（またはＹ−Ｂ）が、それぞれ８ビットで量子化されることになる。
【００１９】
同様に、ＡＤＣ５２は、入力されたアナログオーディオ信号を、例えばサンプリング周波数４８ｋＨｚ、量子化ビット数１６ビットでディジタル化する。
【００２０】
なお、ＡＤＣ５２にデジタルビデオ信号やデジタルオーディオ信号が入力されるときは、ＡＤＣ５２は、デジタルビデオ信号やデジタルオーディオ信号をスルーパスさせる。そして、これらのデジタルビデオ信号及びデジタルオーディオ信号に対しても、内容は改変することなく、ジッタ低減処理やサンプリングレート変更処理等は行なってもよい。
【００２１】
ＡＤＣ５２から出力されたデジタルビデオ信号は、Ｖエンコーダを介してフォーマッタ５６に送られる。また、ＡＤＣ５２から出力されたデジタルオーディオ信号は、Ａエンコーダを介してフォーマッタ５６に送られる。
【００２２】
Ｖエンコーダは、入力されたデジタルビデオ信号を、ＭＰＥＧ２またはＭＰＥＧ１規格に基づいて、可変ビットレートで圧縮されたディジタル信号に変換する機能を持つ。また、Ａエンコーダは、入力されたデジタルオーディオ信号を、ＭＰＥＧまたはＡＣ−３規格に基づいて、固定ビットレートで圧縮されたディジタル信号またはリニアＰＣＭのディジタル信号に変換する機能を持つ。
【００２３】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダに入力される。ＳＰエンコーダに入力された副映像信号は、所定の信号形態にアレンジされて、フォーマッタ５６に送られる。
【００２４】
フォーマッタ５６は、バッファメモリ５７をワークエリアとして使用しながら、入力されたビデオ信号、オーディオ信号、副映像信号等に対して所定の信号処理を行なうことにより、所定のフォーマット（ファイル構造）に合致した記録データをデータプロセッサ３６に出力する。
【００２５】
ここで、本装置は、エンコーダ部５０でエンコードされた情報、及び、作成された管理情報を、データプロセッサ３６を介してＨＤＤ２００１に供給し、ハードディスクに記録することができる。またハードディスクに記録された情報を、データプロセッサ３６、ディスクドライブ３５を介して光ディスク１００１に記録することもできる。さらにまた、エンコーダ部５０でエンコードされた情報、及び、作成された管理情報をデータプロセッサ３６、ディスクドライブ３５を介して、光ディスク１００１に記録することもできる。
【００２６】
また、本発明は、ＨＤＤ２００１のハードディスクに記録されている情報が、光ディスク１００１のデータフォーマットと同じである場合、ハードディスクの情報を光ディスクにエンコード処理無く記録することができる。
【００２７】
また、ＨＤＤ２００１のハードディスクに記録されている情報が、光ディスク１００１のデータフォーマットと異なる場合は、ハードディスクから読み出した情報をエンコーダ部５０でエンコードする。そしてエンコードされた情報を光ディスク１００１に記録することができる。
【００２８】
ここで、上記光ディスク１００１への記録データを作成するための標準的なエンコード処理内容を簡単に説明しておく。すなわち、エンコーダ部５０において、エンコード処理が開始されると、ビデオ（主映像）データ及びオーディオデータをエンコード処理するにあたって必要なパラメータが設定される。
【００２９】
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。同様に、副映像データをエンコード処理するに必要なパラメータが設定され、エンコード処理された副映像データが作成される。
【００３０】
エンコード処理された主映像データ、オーディオデータ及び副映像データが組み合わされて、ビデオオブジェクトセットＶＯＢＳの構造に変換される。
【００３１】
すなわち、主映像データ（ビデオデータ）の最小単位としてセルが設定され、図５で説明したようなセル情報が作成される。次に、プログラムチェーンＰＧＣを構成するセルの構成や、主映像、副映像及びオーディオの属性等が設定され（これらの属性情報の一部は、各データをエンコードするときに得られた情報が利用される）、ここに、種々の情報を含めたＶＭＧファイルが作成される。
【００３２】
エンコード処理された主映像データ、オーディオデータ及び副映像データは、一定サイズ（２０４８バイト）のパック（図３）に細分化される。これらのパックには、ダミーパックが適宜挿入される。なお、ダミーパック以外のパック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００３３】
そして、各データのタイムコード順に再生可能なように、ビデオオブジェクトユニットＶＯＢＵ単位でその先頭にＲＤＩパック(ナビゲーションパックに相当)を配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムービービデオファイルに記録される。
【００３４】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。ただし、ＤＶＤ再生信号をデジタルコピーできるようにＤＶＤビデオレコーダを構成する場合には、電子すかしやその他の著作権保護手段が講じられる必要がある。
【００３５】
光ディスク１００１に対して、情報の読み書き（録画／再生）を実行する部分としては、光学系、駆動系を有するディスクドライブ３５と、データプロセッサ３６と、一時記憶部３７と、ＳＴＣ（システムタイムカウンターまたはシステムタイムクロック）３８とを備えている。
【００３６】
一時記憶部３７は、データプロセッサ３６、ディスクドライブ３５を介して光ディスク１００１に書き込まれるデータ（エンコーダ部５０から出力されるデータ）のうちの一定量分をバッファリングしたり、ディスクドライブ３５、データプロセッサ３６を介して光ディスク１００１から再生されたデータ（デコーダ部６０に入力されるデータ）のうちの一定量分をバッファリングしたりするのに利用される。ディスクドライブ３５は、光ディスクに対する回転制御系、レーザ駆動系、光学系などを有する。
【００３７】
例えば、一時記憶部３７が４Ｍｂｙｔｅｓの半導体メモリー（ＤＲＡＭ）で構成されるときは、平均４Ｍｂｐｓ（ビット・パー・セカンド）の記録レートでおよそ８秒分の記録または再生データのバッファリングが可能である。また、一時記憶部３７が１６ＭｂｙｔｅｓのＥＥＰ（エレクトリカリー・イレーザブル・アンド・プログラマブル）ＲＯＭ（フラッシュメモリ）で構成されるときは、平均４Ｍｂｐｓの記録レートでおよそ３０秒の記録または再生データのバッファリングが可能である。
【００３８】
さらに、一時記憶部３７が１００Ｍｂｙｔｅｓの超小型ハードディスクドライブで構成されるときは、平均４Ｍｂｐｓの記録レートで３分以上の記録または再生データのバッファリングが可能となる。一時記憶部３７は、録画途中で光ディスク１００１を使い切ってしまった場合において、光ディスク１００１が新しいディスクに交換されるまでの短時間の録画情報を一時記憶しておくことにも利用できる。しかし、本装置では、大きな容量を持つＨＤＤ２００１が設けられているので、この装置を活用することができる。
【００３９】
また、一時記憶部３７は、ディスクドライブ３５として高速ドライブ（２倍速以上）を採用した場合において、一定時間内に通常ドライブより余分に読み出されたデータを一時記憶しておくことにも利用できる。再生時の読み取りデータを一時記憶部３７にバッファリングしておけば、振動ショック等で図示しない光ヘッドが読み取りエラーを起こしたときでも、一時記憶部３７にバッファリングされた再生データを切り替え使用することによって、再生映像が途切れないようにすることができる。
【００４０】
データプロセッサ３６は、マイクロコンピュータブロック３０の制御にしたがって、エンコーダ部５０から出力されたＤＶＤ記録データをディスクドライブ３５に供給したり、光ディスク１００１から再生したＤＶＤ再生信号をディスクドライブ３５から取り込んだり、光ディスク１００１に記録された管理情報を書き替えたり、光ディスク１００１に記録されたデータ（ファイルあるいはビデオオブジェクト）の削除をしたりする。
【００４１】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【００４２】
マイクロコンピュータブロック３０のＭＰＵは、そのＲＯＭに格納された制御プログラムにしたがい、ＲＡＭをワークエリアとして用いて、欠陥場所検出、未記録領域検出、録画情報記録位置設定、ＵＤＦ記録、ＡＶアドレス設定等を実行する。
【００４３】
また、マイクロコンピュータブロック３０は、システム全体を制御するために必要な情報処理部を有するもので、コピー情報検知・設定部、ディレクトリー検知部、ＶＭＧ管理情報作成部を備える。
【００４４】
ＭＰＵの実行結果のうち、ディスクドライブ３５のユーザーに通知すべき内容は、ＤＶＤビデオレコーダの表示部４８に表示されるか、またはモニタディスプレイにＯＳＤ（オンスクリーンディスプレイ）表示される。
【００４５】
なお、マイクロコンピュータブロック３０が、ディスクドライブ３６、データプロセッサ３６、エンコーダ部５０、及びデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【００４６】
デコーダ部６０は、パック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするＶデコーダと、セパレータ６２で分離された副映像データ（副映像パックの内容）をデコードするＳＰデコーダと、セパレータ６２で分離されたオーディオデータ（オーディオパックの内容）をデコードするＡデコーダによるデコーダ部６４と、Ｖデコーダから得られる主映像データにＳＰデコーダから得られる副映像データを適宜合成し、主映像にメニュー、ハイライトボタン、字幕やその他の副映像を重ねて出力するビデオプロセッサ６６を備えている。
【００４７】
ビデオプロセッサ６６の出力は、ビデオミクサー７１に入力される。ビデオミクサー７１では、テキストデータの合成が行われる。またビデオミクサー７１には、また、ＴＶチューナ４４やＡ／Ｖ入力部４２からの信号を直接取り込むラインも接続されている。ビデオミクサー７１には、バッファとして用いるフレームメモリ７２が接続されている。ビデオミクサー７１の出力がディジタル出力の場合は、インターフェース（Ｉ／Ｆ）７３を介して外部へ出力され、アナログ出力の場合は、ＤＡＣ７４を介して外部へ出力される。
【００４８】
Ａデコーダの出力がディジタル出力の場合は、インターフェース（Ｉ／Ｆ）７５を介して外部へ出力され、アナログ出力の場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からの信号を直接モニタするとき、ＡＤＣ５２からの出力を選択することも可能である。アナログオーディオ信号は、図示しない外部コンポーネント（２チャンネル〜６チャンネルのマルチチャンネルステレオ装置）に供給される。
【００４９】
デコーダ部６４から出力される主映像データ並びにオーディオデータはインターフェイス８１を介してＳＤカード等の記録メディア８２に記録することができる。又、デコーダ部６４から出力される主映像データ並びにオーディオデータはインターフェイス８３を介してＵＳＢ８４に出力することができる。このＵＳＢ８４には上述したプリンタ５を接続することができる。
【００５０】
ＨＤＤレコーダー１にはＨＤＤレコーダー１の操作をユーザーが指示するリモートコントローラ１００からの信号を受けるセンサー８５が設けられており、マイクロコンピュータブロック３０はセンサー８５より受信したリモートコントローラ１００からの信号に基づきＨＤＤレコーダー１を制御する。
【００５１】
図３は、上記リモートコントローラ（以下、リモコン）１００の外観を示す図である。図３に示すように、リモコン１００は、第１の操作手段としてカーソルキー１０１、第２の操作手段としてのダイヤルキー１０２、及び第３の操作手段としてのレバーキー１０３などを備えている。図２におけるキー入力部４９が、図３に示すリモコンに相当する。
【００５２】
カーソルキー１０１は、複数方向、例えば４方向又は８方向に傾けられる操作に対応して第１の機能を制御する制御信号を発生するとともに、プッシュ操作に対応して第２の機能を制御する制御信号を発生する。ダイヤルキー１０２は、円弧状の回転操作に対応して第３の機能を制御する制御信号を発生する。例えば、ダイヤルキー１０２は、図示しないロータリーエンコーダに対応しており、ダイヤルキーの回転操作に対応してロータリーエンコーダにより制御信号が発生されるようになっている。レバーキー１０３は、前後の移動操作に対応して第４の機能を制御する制御信号を発生するとともに、プッシュ操作に対応して第５の機能を制御する制御信号を発生する。
【００５３】
カーソルキー１０１及びダイヤルキー１０２は、同心円状に配置される。さらに、この同心円の中心から所定距離にレバーキー１０３が配置される。例えば、カーソルキー１０１を操作できるように、カーソルキー１０１に対して右手親指の位置をあわせてリモコンを握ると、握りかえることなく右手親指だけで３種類の操作部を操作することができる。
【００５４】
本発明では、図４に示すようにＨＤＤレコーダー１が接続されたテレビ２に映像並びにディスク形状の図形を表示し、ディスク表面ラベル若しくはディスク表面へ印刷するための画像データをユーザーが上記リモコン１００を操作して選択し、印刷用データを作成するものである。
【００５５】
次に、ディスク表面ラベル若しくはディスク表面へ印刷するための画像データを編集・作成する手順を図面に基づき説明する。
【００５６】
図５は、印刷画像データを編集・作成する手順を示すフローチャートであり、ディスクラベルの編集を開始する際には、HDDレコーダー１のリモコン１００を操作し、HDDレコーダー１のメニューからディスクラベル編集を選択する。すると、HDDレコーダー１の映像データ編集のGUI画面にてディスクラベルが編集できるよう画面上にボタン等を表示する。表題の内容を実行する場合、HDDレコーダーのリモコンを流用して操作し、「決定」ボタンにて実行できるようにする。以下、「決定」・「確定」・「実行」についてはすべてリモコンの「決定」ボタンで実行できるようになる。
【００５７】
ディスクラベルの編集を開始すると、ユーザーはパーツ選択の操作を行う（ＳＴ１）。ここで、HDDへ記録してある画像データ各々をパーツと呼ぶ。このパーツ群の中からどのパーツについて編集したいかを選択できるようにする。選択は上記と同様にHDDレコーダーのリモコン１００により行う。この作業はHDDレコーダーのパーツ選択方法と同一である。
【００５８】
パーツ選択が完了し、ディスク形状のOSD表示を選択するとHDDレコーダー１はディスク形状のOSD表示を行う（ＳＴ２）。即ち、リモコン１００の操作後、図６に示すようにディスク形状（ドーナツ型）の白線カーソルが表示される。
【００５９】
続いて、パーツ選択位置・大きさ変更の設定が行われる。図６に示したカーソルはリモコン１００のカーソルキー１０１にて画面上の任意の位置に移動できる。また、リモコンのチャンネルUP／DOWNキーでディスク形状（ドーナツ型）の白線カーソルの拡大・縮小ができる。
【００６０】
選択した位置と大きさでディスクラベルデータを確定する場合はリモコンの「決定」ボタン（カーソルキー１０１のプッシュ操作）にてディスクラベルデータの確定を実行する（ＳＴ３）。
【００６１】
そして、ディスクラベルデータに文字を追加するかどうかがリモコン１００により選択される（ＳＴ４）。
【００６２】
ディスクラベルデータに文字を追加する場合には、図７に示すように文字入力範囲枠が表示される（ＳＴ５）。この文字入力枠の位置を変更する場合、リモコン１００のカーソルキー１０１の操作により移動可能であり、リモコン１００のカーソルキー１０１の操作が成されたか否かにより文字入力枠の位置変更の要否が判断される（ＳＴ６）。リモコン１００のカーソルキー１０１の操作が成された場合には、カーソルキー１０１の操作に応じて文字入力枠の位置変更が行われる（ＳＴ７）。
【００６３】
文字入力枠の位置を確定する場合はリモコン１００の「決定」ボタン（カーソルキー１０１のプッシュ操作）にて確定を実行し（ＳＴ８）、文字入力枠への文字入力が行われる（ＳＴ９）。文字入力を確定する場合はリモコンの「決定」ボタン（カーソルキー１０１のプッシュ操作）にて確定を実行する（ＳＴ１０）。
【００６４】
すると、ディスクラベルの画像データと挿入する文字が確定されたため、両方合わせた最終的なディスクラベル情報が図８に示すようにテレビ２に表示され、ディスクラベルイメージの確認が成される（ＳＴ１１）。
【００６５】
リモコン１００の「決定」ボタン（カーソルキー１０１のプッシュ操作）にて確定が実行されると、ディスクラベルイメージデータの記録メディア若しくはUSBへのデータ転送の何れかが選択される（ＳＴ１２）。即ち、HDDレコーダー１のインターフェイス８１を介して記録メディアに対してデータ送信をする（ＳＴ１３）。もしくはHDDレコーダー１のUSB端子８４にディスクへの印刷機能の付いたプリンタ５などを接続し、直接プリンタ５へデータを転送する（ＳＴ１４）。ユーザーはこの２つのどちらにするかを選択できる。
【００６６】
プリンタ５はＳＤカード３等の記録メディア若しくはUSBを介してディスクラベルの画像データを受信し、この受信したディスクラベルの画像データに基づいてディスクラベルへの印刷、若しくはディスク表面への直接印刷を実行する。
【００６７】
以上説明したように、本実施の形態ではパーソナルコンピュータやデジタルカメラ等の他の機器を使用することなく、HDDレコーダー１単体で、ディスク表面ラベル若しくはディスク表面へ印刷するための画像データを生成することが可能となる。
【００６８】
尚、上記の実施の形態では、ディスクラベル編集・作成機能をHDDレコーダー１にて実現しているが、HDDレコーダー１の替わりにテレビ２に同様の機能を持たせても良い。即ち、テレビ２にてディスクラベル編集・作成の対象となるパーツ（画像）を選択し、図５乃至図８にて示した手順にてディスクラベル編集・作成を行えば良い。
【図面の簡単な説明】
【００６９】
【図１】HDDレコーダーの利用環境を示す概念図。
【図２】HDDレコーダーのブロック図。
【図３】ディスクラベル編集・作成の概念を示す図。
【図４】リモコンの外観を示す図。
【図５】ディスクラベル編集・作成の手順を説明するフローチャート。
【図６】ディスクラベル編集・作成時の画面の表示例を示す図。
【図７】ディスクラベル編集・作成時の画面の表示例を示す図
【図８】ディスクラベル編集・作成時の画面の表示例を示す図
【符号の説明】
【００７０】
１……HDDレコーダー
２……テレビ
３……ＳＤカード
５……プリンタ
１００……リモコン
【図１】
2006018858.tif 000003
【図２】
2006018858.tif 000004
【図３】
2006018858.tif 000005
【図４】
2006018858.tif 000006
【図５】
2006018858.tif 000007
【図６】
2006018858.tif 000008
【図７】
2006018858.tif 000009
【図８】
2006018858.tif 000010